【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
組織治療を行うための方法であって、
患者の組織部位を減圧するステップと、
前記組織部位を減圧するステップと関連した流体パラメータを検出するステップと、
流体漏れが存在すると判定するのに応答して流体漏れ位置可聴音を発生させるステップであって、前記流体漏れ位置可聴音がオン状態及びオフ状態を有し、前記オン状態が可変であるステップと、
前記流体パラメータの変化を検出するのに応答して、前記オン状態の前記流体漏れ位置可聴音を変更するステップと、
を具えることを特徴とする方法。
【請求項２】
前記流体漏れ位置可聴音を変更するステップが、変更した流体パラメータを検出するのに応答して、前記流体漏れ位置可聴音の可聴周波数を変更するステップを含むことを特徴とする請求項１に記載の方法。
【請求項３】
前記流体漏れ位置可聴音を変更するステップが、変更した流体パラメータを検出するのに応答して、前記流体漏れ位置可聴音の持続時間を変更するステップを含むことを特徴とする請求項１に記載の方法。
【請求項４】
前記流体漏れ位置可聴音を変更するステップが、変更した流体パラメータを検出するのに応答して、前記流体漏れ位置可聴音の振幅を変更するステップを含むことを特徴とする請求項１に記載の方法。
【請求項５】
前記流体パラメータが閾値を超えるかを判定するステップと、
前記流体パラメータが前記閾値を超えたと判定することに応答して、可聴アラーム信号を生成するステップと、
を更に具えることを特徴とする請求項１に記載の方法。
【請求項６】
選択されたときに流体漏れ位置検出モードにする、選択可能エレメントを含んだグラフィックユーザインタフェースを表示するステップを更に具えることを特徴とする請求項１に記載の方法。
【請求項７】
前記流体漏れ位置検出モードの時に、前記流体パラメータおよび当該流体パラメータの変化を示すグラフィックインジケータを作成するステップを更に具えることを特徴とする請求項６に記載の方法。
【請求項８】
前記組織部位を減圧するために患者の組織を密閉するステップと、
前記流体漏れ位置可聴信号を開始するステップと、
を更に具えることを特徴とする請求項１に記載の方法。
【請求項９】
選択的に、前記流体漏れ位置信号のオンオフをトグルするステップを更に具えることを特徴とする請求項１に記載の方法。
【請求項１０】
前記流体パラメータを検出するステップが空気流又は圧力を電子的に検出するステップを含むことを特徴とする請求項１に記載の方法。
【請求項１１】
前記流体漏れ位置可聴音を変更するステップが、検出した前記流体パラメータに対応する流体漏れが増加又は減少するかどうかを含むことを特徴とする請求項１に記載の方法。
【請求項１２】
患者の組織と、減圧送達システムのドレープとの間の接触部で、減圧送達システムの流体漏れを判定する方法において、
流体漏れが患者組織部位とドレープとの間の接触部にあるか判定するステップと、
前記接触部での流体漏れを示す流体パラメータの検出に応答して生成する可聴音を聞くステップであって、前記可聴音がオン状態及びオフ状態を有し、前記オン状態が可変であるステップと、
前記ドレープに力を加えるステップと、
前記ドレープに力を加えるのに基づいて変化する前記流体パラメータに応答して前記オン状態で発生する前記可聴音の変化を聞くステップと、
前記可聴音の変化に基づいて、前記患者組織と前記ドレープとの間の前記接触部での流体漏れの位置を決定するステップであって、前記可聴音が、前記流体漏れが増加又は減少する時を示すステップと、
前記患者組織と前記ドレープとの間の前記接触部で決定された前記位置にある流体漏れを減少させるステップと、
を具えることを特徴とする方法。
【請求項１３】
前記検出が、空気流又は圧力を利用して電子的に実施され、
前記流体漏れが気体漏れであることを特徴とする請求項１２に記載の方法。
【請求項１４】
前記可聴音の変化を聞くステップが、前記可聴音の可聴周波数の変化を聞くステップを含むことを特徴とする請求項１２に記載の方法。
【請求項１５】
前記可聴音の変化を聞くステップが、前記可聴音の持続時間の変化を聞くステップを含むことを特徴とする請求項１２に記載の方法。
【請求項１６】
前記可聴音の変化を聞くステップが、前記可聴音の振幅の変化を聞くステップを含むことを特徴とする請求項１２に記載の方法。
【請求項１７】
流体漏れが前記接触部にあるか判定するステップが、前記減圧送達システムによって発生する可聴アラーム音を聞くステップを含むことを特徴とする請求項１２に記載の方法。
【請求項１８】
前記接触部での流体漏れの位置を決定するステップが、前記流体漏れの位置を決定するための前記ドレープに力を加えるステップに応答して、流体漏れ変化を示す前記減圧送達システムによって表示されるグラフィックイメージを見るステップを含むことを特徴とする請求項１２に記載の方法。
【請求項１９】
前記グラフィックイメージを見るステップが、少なくとも１つのグラフィック特性を変化させるグラフィックイメージを見るステップを含むことを特徴とする請求項１８に記載の方法。
【請求項２０】
患者組織と減圧送達システムのドレープと間の接触部での減圧送達システムの流体漏れを判定する方法において、前記方法が、
流体漏れが患者組織部位とドレープとの間の接触部にあるかを判定するステップであって、可聴音がオン状態及びオフ状態を有し、前記オン状態が可変であるステップと、
前記接触部での流体漏れを示す流体パラメータの検出に応答して生成する可聴音を聞くステップと、
前記ドレープの第１の領域に力を加えるステップと、
前記ドレープの前記第１の領域に力を加えるステップに応答する前記流体パラメータの変化に応答して前記オン状態の際に発生する前記可聴音の変化を聞くステップであって、前記発生する可聴音が、前記流体漏れが増加又は減少する時を示すステップと、
前記ドレープの第１の領域に力を加えるステップに応答して前記オン状態の際に前記発生する可聴音が変化する場合に、前記流体漏れを低減するように前記ドレープの前記第１の領域を修正するステップと、そうでない場合は、前記ドレープの第２の領域に力を加えるステップと、
前記ドレープの第２の領域に力を加えるステップに応答して変化する前記流体パラメータに応答して前記オン状態の際に発生する前記可聴音の変化を聞くステップと、
前記ドレープの第２領域に力を加えるステップに応答して前記オン状態の際に前記可聴音が変化する場合に、前記流体漏れを低減するように前記ドレープの第２の領域を修正するステップと、
を具えることを特徴とする方法。
【請求項２１】
前記検出が、空気流又は圧力を利用して電子的に実施され、
前記可聴音が前記減圧送達システムによって発生し、
前記流体漏れが気体漏れであることを特徴とする請求項２０に記載の方法。
【請求項２２】
前記ドレープの第２の領域に力を加えるステップに応答して前記発生する可聴音が変化しないことを判定するステップと、
前記発生する可聴音が変化するまで、前記ドレープの少なくとも１つの異なる領域に力を加えるステップと、
前記発生する可聴音の変化を聞きながら、流体漏れを低減するように、力を加えるドレープの少なくとも１つの領域を修正するステップと、
を更に具えることを特徴とする請求項２０に記載の方法。
【請求項２３】
前記発生する可聴音の変化を聞くステップが、前記発生する可聴音の可聴周波数変化を聞くステップを含むことを特徴とする請求項２０に記載の方法。
【請求項２４】
前記発生する可聴音の変化を聞くステップが、前記発生する可聴音の持続時間の変化を聞くステップを含むことを特徴とする請求項２０に記載の方法。
【請求項２５】
前記発生する可聴音の変化を聞くステップが、前記発生する可聴音の振幅変化を聞くステップを含むことを特徴とする請求項２０に記載の方法。
【請求項２６】
流体漏れが前記接触部にあるかを判定するステップが、可聴アラーム音を聞くステップを含むことを特徴とする請求項２０に記載の方法。
【請求項２７】
前記接触部の前記流体漏れ位置を決定するステップが、前記流体漏れ位置を決定するために前記ドレープに力を加えるステップに応答して、流体漏れの変化を示すグラフィックイメージを見るステップを含むことを特徴とする請求項２０に記載の方法。
【請求項２８】
前記グラフィックイメージを見る方法が、少なくとも１つのグラフィック特性を変化させるグラフィックイメージを見るステップを含むことを特徴とする請求項２７に記載の方法。
【請求項２９】
前記減圧するステップが、前記患者の組織部位を減圧して定常状態の減圧に達するステップを含んでおり、
前記流体漏れ位置可聴音を発生させるステップが、前記定常状態の減圧からの前記流体パラメータの変化の検出に応答して流体漏れ位置可聴音を発生させるステップを含むことを特徴とする請求項１に記載の方法。
【請求項３０】
患者組織部位を減圧して、定常状態の減圧に達するステップを更に具えており、
前記流体漏れがあるか判定するステップが、前記患者組織部位と前記ドレープとの間の前記接触部で前記定常状態の減圧に達した後に、前記流体漏れがあることを判定するステップを含むことを特徴とする請求項１２に記載の方法。
【請求項３１】
患者組織部位を減圧して、定常状態の減圧に達するステップを更に具えており、
前記流体漏れがあるか判定するステップが、前記患者組織部位と前記ドレープとの間の前記接触部で前記定常状態の減圧に達した後に、前記流体漏れがあることを判定するステップを含むことを特徴とする請求項２０に記載の方法。
【請求項３２】
前記流体漏れ位置可聴音を変更するステップが、前記流体パラメータの変化の検出に応答して、前記流体漏れ位置可聴音の周波数、音量、又はトーンスピードを変更するステップを含むことを特徴とする請求項１に記載の方法。
【請求項３３】
前記流体漏れ位置可聴音を変更するステップが、連続的に変化する前記流体パラメータの検出に応答して、前記流体漏れ位置可聴音を連続的に変更するステップを含むことを特徴とする請求項３２に記載の方法。
【請求項３４】
前記可聴音の変化を聞くステップが、前記流体パラメータの変化の検出に応答して、前記可聴音の周波数、音量、又はトーンスピードの変化を聞くステップを含むことを特徴とする請求項１２に記載の方法。
【請求項３５】
前記可聴音の変化を聞くステップが、連続的に変化する前記流体パラメータの検出に応答して、前記可聴音の連続的な変化を聞くステップを含むことを特徴とする請求項３４に記載の方法。
【請求項３６】
前記可聴音の変化を聞くステップが、前記流体パラメータの変化の検出に応答して、前記可聴音の周波数、音量、又はトーンスピードの変化を聞くステップを含むことを特徴とする請求項２０に記載の方法。
【請求項３７】
前記可聴音の変化を聞くステップが、連続的に変化する前記流体パラメータの検出に応答して、前記可聴音の連続的な変化を聞くステップを含むことを特徴とする請求項３６に記載の方法。